(57)【特許請求の範囲】
【請求項１】
流動状染毛剤を貯留する本体と、本体先端に設け、先端面を閉塞した筒状で、刷毛体を先端部は閉塞端面から突出し、基端部は内部空間内に位置するよう設けてなる塗布部と、流動状染毛剤を前記塗布部の刷毛体に供給するための供給路と、この供給路に本体内に貯留した流動状染毛剤を圧力をかけて送出する供給部とを備えた毛染め具であって、前記供給路は、刷毛体の基端部に連通して流動状染毛剤を供給する中央供給路と、刷毛体の側部に連通して流動状染毛剤を供給する側部供給路から構成したことを特徴とする毛染め具。
【請求項２】
塗布部は、刷毛体の周囲に複数のブラシ体を有することを特徴とする前記請求項１記載の毛染め具。
【請求項３】
間隔をおいて直線状に配置した複数の刷毛体の少なくとも両側に複数のブラシ体を有し、これらブラシ体の長さを、一方側に位置するものが他方側に位置するものより長く形成したことを特徴とする前記請求項１記載の毛染め具。
【発明の詳細な説明】
【０００１】
【産業上の利用分野】
本発明は、筒状の本体内に貯留させた流動状染毛剤を、必要に応じて該本体先端の刷毛体に供給し得るようになした毛染め具に関する。
【０００２】
【従来の技術】
従来の毛染め方法は、流動状染毛剤をブラシや櫛等に適量ずつ付着させ、定めた毛髪部分を梳かしながら塗布するというものであった。
【０００３】
【発明が解決しようとする課題】
しかし、上記従来の方法では、ブラシ等に流動状染毛剤を適量ずつ付着させる作業がむずかしくある程度の慣れを必要とするという問題点があった。
【０００４】
本発明は、前述の問題点を解決することを課題とし、誰にでも容易に毛染めができ、流動状染毛剤をブラシ等に付着させる手間を省き得るとともに、刷毛体に流動状染毛剤を万遍なく浸透させ、その塗布作業を容易にした毛染め具を提供することを目的とする。
【０００５】
【課題を解決するための手段】
本発明は、前記目的を達成するために例えば、刷毛体１４を先端中央に植設し、該刷毛体１４の周囲に複数のブラシ体９・・・を備えた筒状の本体２の先端に設けた塗布部３と、前記本体２内部の流動状染毛剤ａを前記塗布部３の刷毛体１４に供給するための供給路と、この供給路に流動状染毛剤ａを送出する供給部６とを備え、供給路を、刷毛体１４の基端部に連通した中央供給路１５と、刷毛体１４の側部に連通した側部供給路１６，１６から構成したものである。
【０００６】
また、本発明は、前記目的を達成するために例えば、支持台５１の端面に四つの刷毛体５２・・・を間隔をおいて直線状に植設し、また、該刷毛体５２・・・の周囲に、一方側に位置するものより他方側に位置するものを長くするとともに、一方側と他方側の間に位置したものは、一方側から他方側に向けて徐々に長くなるようになした複数のブラシ体５３・・・を設けた塗布部と、筒状の本体内部の流動状染毛剤を前記刷毛体５２・・・に供給するための供給路と、この供給路に流動状染毛剤を送出する供給部とを備えた毛染め具であって、前記供給路を、刷毛体５２・・・の端部に連通した中央供給路と、刷毛体５２・・・の側部に連通した側部供給路から構成したものである。
【０００７】
【作用】
流動状染毛剤ａは、中央供給路１５と側部供給路１６，１６から刷毛体１４の基端部と側部の各内側にそれぞれ進入し、該刷毛体１４，５２・・・全体に拡がって浸透する。そして、毛髪の毛染め部分をブラシ体９・・・，５３・・・で梳かすと該刷毛体１４，５２・・・に浸透した該流動状染毛剤ａが毛髪に適量ずつ均一に塗布される。
【０００８】
【実施例】
以下に、本発明の好適な実施例を添付図面に基づいて詳細に説明する。ここにおいて、添付図面の図１は要部の拡大断面図、図２は図１のＡ−Ａ線断面図、図３は供給部を示す部分を縦断した正面図、図４は図３のＢ−Ｂ線断面図、図５は同じくＣ−Ｃ線断面図、図６は操作部の拡大正面図である。
【０００９】
図１〜図３に示したように、毛染め具１は、筒状の本体２の先端に設けた塗布部３と、該塗布部３を覆うべく前記本体２先端に取り外し自在に被冠したキャップ４と、前記本体２内部に設け、流動状染毛剤ａを貯留する貯留部５と、前記筒状本体２内部の、該貯留部５に隣設した部位に設け、前記流動状染毛剤ａを塗布部３に供給し得るようになした供給部６とから構成する。
【００１０】
図１および図２に明示するように、前記塗布部３は、本体２先端に嵌合、固定した、一端を開放しかつ他端に透孔７を有する端面８を形成し、また該端面８から外側に透孔７を囲むようにブラシ体９・・・を一体的に突設した筒状の支持台１０と、該支持台１０の内側に嵌め込んだ、前記透孔７と合致する中心孔１１を有する内側台１２と、刷毛材料を束ねて二つ折りにし、その折り部を前記内側台１２に係止棒１３によって係止するとともに、前記透孔７および中心孔１１を通って先端を外部に突出させた刷毛体１４とを備えている。
【００１１】
また、前記内側台１２は、流動状染毛剤ａを刷毛体１４に供給する供給路として、その中心孔１１に対向するよう設けた中央供給路１５と、該中央供給路１５を挟んで中心孔１１に連通する側部供給路１６，１６を設けてある。この側部供給路１６，１６は、前記刷毛体１４の側部に達するように伸ばしてある。
【００１２】
図１および図３に示したように、貯留部５は、前記内側台１２の内側端と前記供給部６との間に設けられるものであって、前記供給部６に隣設した主室１８ａと、前記中央供給路１５と側部供給路１６，１６に連通し、かつ前記主室１８ａと連通孔１７によって連通した中間室１８ｂとからなる。該中間室１８ｂ内には、前記連通孔１７を開閉するための逆止弁１９を、戻しバネ２０で連通孔１７を閉じる方向に付勢するよう配置してある。
【００１３】
図３〜図６に示したように、前記供給部６は、流動状染毛剤ａに圧力をかけるための、本体２の内径と等しい外径を有する円筒状に形成した本体２内を摺動可能なピストン２１と、該ピストン２１を押すべく、前記ピストン２１と同様に、本体２内を摺動可能で、本体２の内径とほぼ等しい外径を有する円筒状に形成した進行部２２と、該進行部２２を進行させるための、操作用摘み２３を本体２の後端（前記キャップ４の反対端）に配置した操作部２４と、該操作部２４を一方向のみに回転可能に支持するよう、本体２の前記後端近傍の内面に固着した軸受部２５とから構成する。
【００１４】
図３、図４および図６に明示したように、前記進行部２２は、前記本体２の内径とほぼ等しい外径を有するほぼ円筒状を成し、前記ピストン２１近傍からピストン２１とは反対端に伸びる二本のスリット２６，２６と、該反対端近傍の内周に設けた雌螺孔２７と、外面を帯状に長手方向に伸びるよう切削して形成した帯状平坦面２８とを備える。なお、このピストン２１および進行部２２は、流動状染毛剤ａが減少するにつれ徐々に主室１８ａ内に進行していくことになる。
【００１５】
図３、５図および図６に明示したように、前記操作部２４は、前記操作用摘み２３と、進行部２２の前記雌螺孔２７に螺合する雄螺杆２９と、操作用摘み２３と雄螺杆２９間に位置し、外側に突出するように付勢された二つの弾性爪３０，３０を有する回転軸３１とを備える。
【００１６】
図３〜図５に明示したように、軸受部２５は、本体２の後端（キャップ４の反対端）に外側から挿入しフランジで係止した状態で本体２の内面に固着した円筒体３２と、本体２の先端側に伸び前記進行部２２の帯状平坦面２８及び本体２内面によって形成された間隙に挿入し得る回転阻止舌片３３とを備える。また、前記円筒体３２の内面全周には、操作部２４の前記弾性爪３０，３０が係合する被係合歯３４・・・が形成されている。この被係合歯３４・・・は、それぞれ交互に形成された長短の斜面によってピッチとなる山と谷が連続的に設けられ、その短い斜面に前記弾性爪３０，３０が係合する。
【００１７】
次に、図１〜図６に基づいて上記実施例の操作および動作について説明する。先ず、キャップ４を外し、操作部２４の操作用摘み２３をその後端側から見て時計回り（図６の回転矢印参照）に回すと、回転軸３１とともに雄螺杆２９が回転する。この際、進行部２２は、軸受部２５の回転阻止舌片３３，３３がその帯状平坦面２８及び本体２内面間に形成された間隙に挿入された状態にあるので、雌螺孔２７を介して雄螺杆２９の回転摩擦力を受けても回転変位することなく、雄螺杆２９の回転量に応じて本体２内を先端方向に向かって進行（図６の直線矢印参照）する。
【００１８】
この進行部２２の進行によりピストン２１に押され圧力を受けた流動状染毛剤ａは、逆止弁１９を戻しバネ２０の付勢力に抗して開け、連通孔１７を通って主室１８ａから中間室１８ｂに入る。続いて、該中間室１８ｂ内の流動状染毛剤ａは、中央供給路１５から刷毛体１４の基端部に、また側部供給路１６，１６から刷毛体１４の側部にそれぞれ進入し、該刷毛体１４全体に浸透する。そして、毛髪の毛染め部分をブラシ９・・・で梳かすと該刷毛体１４が毛髪に触れ、浸透している該流動状染毛剤ａが適量ずつ毛髪に塗布される。
【００１９】
また、回転軸３１とともに回転する前記弾性爪３０，３０は、被係合歯３４・・・側に付勢され、円筒体３２の被係合歯３４，３４の山を越えるためにある程度の抵抗を受け、その谷に落ちる度に弾き音が聞こえ、かつ弾けた衝撃が手に伝わるので、操作用摘み２３の操作者は何ピッチ回転したかを容易に知り得る。そして、この１ピッチの回転量は一定であるから、どの程度供給部６の進行部２２を進行させたかを該弾き音と衝撃の数で認識することが可能である。また、該弾性爪３０，３０は被係合歯３４，３４の各短斜面に係合するので、操作用摘み２３を前述とは反対方向に回転させることは不可能であり、進行部２２が後退することはない。
【００２０】
このように、上記実施例は、誰にでも容易に毛染めができ、従来における、流動状染毛剤をブラシ等に付着させる作業上の手間を省くことができるほか、流動状染毛剤ａが、中央供給路１５と側部供給路１６，１６から刷毛体１４の基端部と側部から内側に進入するので、刷毛体１４全体に万遍なく浸透し、毛髪への塗布作業が容易であるという利点がある。また、弾性爪３０，３０は被係合歯３４，３４の各短斜面に係合するので、操作用摘み２３を前述とは反対方向に回転させることは不可能であり、進行部２２が後退することはないことに加えて、常時は逆止弁１９で連通孔１７を閉塞しているので、流動状染毛剤ａの逆流を阻止することができるという利点がある。さらに、どの程度供給部６の進行部２２を進行させたかを該弾き音と衝撃の数で認識し得るから、流動状染毛剤ａの供給量を容易に加減できるという利点がある。
【００２１】
続いて、本発明の他の実施例を図７および図８に基づいて詳細に説明する。ここにおいて、図７は要部の平面図、図８は要部の側面図である。
【００２２】
この毛染め具５０が上述した実施例と異なるのは、支持台５１の端面に、四つの刷毛体５２・・・を間隔をおいて直線状に設け、該刷毛体５２・・・の周囲に複数のブラシ体５３・・・を設けるとともに、複数の前記ブラシ体５３・・・の長さを、一方側を他方側より長く設定し、他方側の短いものと一方側の長いものとの間に配置されたものは、他方側に位置するものから一方側のものに向かって徐々に長くなるように構成した点である。なお、この毛染め具５０のその他の構成は、流動状染毛剤（図示せず）を供給するための供給路、各刷毛体５２・・・に流動状染毛剤を浸透させるための供給部をはじめ、前記実施例と同様の構成であるので、それらの詳細な説明は省略する。
【００２３】
このようにブラシ体５３・・・を形成すると、流動状染毛剤の塗布作業において毛髪を梳く時、短いブラシ体５３・・・側を梳く方向の前側にすれば、頭の曲面に沿って刷毛体５２・・・を移動するようガイドすることができるという利点がある。
【００２４】
なお、本発明は前記各実施例に何ら限定されるものではなく、例えば、中間室１８ｂおよび逆止弁１９は設けなくてもよいほか、供給部６は、圧力をかけて流動状染毛剤ａを塗布部３に供給し得る機構であれば他のものに変更してもよい。また、刷毛体１４，５２の数は一つあるいは四つでなくてもよい。
【００２５】
【発明の効果】
以上のように、本発明は、誰にでも容易に毛染めができ、流動状染毛剤をブラシ等に付着させる作業上の手間を省くことができるという効果を奏する。
【００２６】
また、本発明は、流動状染毛剤が、中央供給路と側部供給路から刷毛体の内側に進入するので、刷毛体に万遍なく浸透し、毛髪への塗布作業が容易であるという効果を奏する。
【図面の簡単な説明】
【図１】  要部の拡大断面図。
【図２】  図１のＡ−Ａ線断面図。
【図３】  供給部を示す部分を縦断した正面図。
【図４】  図３のＢ−Ｂ線断面図。
【図５】  同じくＣ−Ｃ線断面図。
【図６】  操作部の拡大正面図。
【図７】  他の実施例の要部の平面図。
【図８】  他の実施例の要部の側面図。
【符号の説明】
ａ  流動状染毛剤
１，５０  毛染め具
２  本体
３  塗布部
５  貯留部
６  供給部
９，５３  ブラシ体
１０，５１  支持台
１２  内側台
１４，５２  刷毛体
１５  中央供給路
１６  側部供給路
【図１】
0003649458.tif 000002
【図２】
0003649458.tif 000003
【図３】
0003649458.tif 000004
【図４】
0003649458.tif 000005
【図５】
0003649458.tif 000006
【図６】
0003649458.tif 000007
【図７】
0003649458.tif 000008
【図８】
0003649458.tif 000009